(57)【要約】【課題】  一対の隣設部材間のシールを確保できるタンクを得る。【解決手段】  高圧タンク１０では、ライナー１８の隣設部２２と口金２８の突出部３４とが互いに隣設されており、突出部３４の各リング溝３６には、隣設部２２と突出部３４との隣設部位をシールするためのＯリング３８が装着されている。ここで、ライナー１８の隣設部２２内に設けられたバックアップリング２４が、ライナー１８より硬度が高くされている。このため、各Ｏリング３８による隣設部２２の変形が抑制されて、各Ｏリング３８を充分に圧縮させることができ、ライナー１８と口金２８との間のシールを確保することができる。また、高圧タンク１０内が高圧にされた際に、口金２８が外側へ押し出されることで応力により口金２８の突出部３４が径方向内側へ収縮変形されても、各Ｏリング３８が突出部３４と隣設部２２とのシール状態を維持することができる。【選択図】    図１
2005048919.tif 000002
【特許請求の範囲】
【請求項１】
互いに隣設された一対の隣設部材と、
弾性を有し、前記一対の隣設部材の隣設部位をシールするためのシール部材と、
前記一対の隣設部材の隣設部位において前記一対の隣設部材の少なくとも一方に設けられ、当該一対の隣設部材の少なくとも一方より硬度が高くされた高硬度部と、
を備えたタンク。
【請求項２】
前記高硬度部の反前記シール部材側において前記一対の隣設部材の少なくとも一方に設けられ、当該一対の隣設部材の少なくとも一方より硬度が高くされた支持部を備えた、ことを特徴とする請求項１記載のタンク。
【請求項３】
前記高硬度部を前記シール部材に接触させた、ことを特徴とする請求項１または請求項２記載のタンク。
【請求項４】
前記一対の隣設部材が隣設部位において互いに離間する方向へ相対的に変形された際に、前記シール部材が前記一対の隣設部材の隣設部位におけるシール状態を維持する、ことを特徴とする請求項１乃至請求項３の何れか１項記載のタンク。
【請求項５】
周壁を構成する外周部及び前記外周部から内側へ突出する突出部が前記一対の隣設部材の一方に設けられると共に、前記突出部に外周において隣設される隣設部が前記一対の隣設部材の他方に設けられ、かつ、内部の圧力により前記突出部が前記隣設部から離間する方向へ変形される、ことを特徴とする請求項４記載のタンク。
【請求項６】
前記一対の隣設部材の一方が周壁の開口を構成すると共に、前記一対の隣設部材の他方が前記周壁の内面を構成する、ことを特徴とする請求項１乃至請求項５の何れか１項記載のタンク。
【発明の詳細な説明】
【技術分野】
【０００１】
本発明は、  一対の隣設部材の隣設部位をシール部材がシールするタンクに関する。
【背景技術】
【０００２】
タンクとしては、合成樹脂製ライナーに形成された開口部に補助部品の嵌め込み部が嵌め込まれると共に、合成樹脂製ライナーと補助部品との間が開口部と嵌め込み部との間において自緊式シール材によりシールされた圧力容器がある（例えば、特許文献１参照）。
【０００３】
この圧力容器では、補助部品に嵌め込み部の圧力容器外側において外方突出部が設けられており、補助部品の外方突出部は、合成樹脂製ライナーと合成樹脂製ライナーの外面に形成されたヘリカル層との間に保持されている。
【０００４】
しかしながら、この圧力容器では、合成樹脂製ライナーの硬度が低くされている。このため、合成樹脂製ライナーが自緊式シール材により変形されて自緊式シール材がほとんど圧縮されず、合成樹脂製ライナーと補助部品との間のシールを確保できないという問題がある。
【０００５】
しかも、圧力容器内が高圧とされた場合には、補助部品が圧力容器の外側へ押し出されることで、応力により補助部品が嵌め込み部において径方向内側へ収縮変形される。このため、自緊式シール材が一層圧縮されず、合成樹脂製ライナーと補助部品との間のシールを一層確保できないという問題が生じる。
【特許文献１】特開２０００−１６１５９０公報
【発明の開示】
【発明が解決しようとする課題】
【０００６】
本発明は、上記事実を考慮し、一対の隣設部材間のシールを確保できるタンクを得ることが目的である。
【課題を解決するための手段】
【０００７】
請求項１に記載のタンクは、互いに隣設された一対の隣設部材と、弾性を有し、前記一対の隣設部材の隣設部位をシールするためのシール部材と、前記一対の隣設部材の隣設部位において前記一対の隣設部材の少なくとも一方に設けられ、当該一対の隣設部材の少なくとも一方より硬度が高くされた高硬度部と、を備えている。
【０００８】
請求項２に記載のタンクは、請求項１に記載のタンクにおいて、前記高硬度部の反前記シール部材側において前記一対の隣設部材の少なくとも一方に設けられ、当該一対の隣設部材の少なくとも一方より硬度が高くされた支持部を備えた、ことを特徴としている。
【０００９】
請求項３に記載のタンクは、請求項１または請求項２に記載のタンクにおいて、前記高硬度部を前記シール部材に接触させた、ことを特徴としている。
【００１０】
請求項４に記載のタンクは、請求項１乃至請求項３の何れか１項に記載のタンクにおいて、前記一対の隣設部材が隣設部位において互いに離間する方向へ相対的に変形された際に、前記シール部材が前記一対の隣設部材の隣設部位におけるシール状態を維持する、ことを特徴としている。
【００１１】
請求項５に記載のタンクは、請求項４に記載のタンクにおいて、周壁を構成する外周部及び前記外周部から内側へ突出する突出部が前記一対の隣設部材の一方に設けられると共に、前記突出部に外周において隣設される隣設部が前記一対の隣設部材の他方に設けられ、かつ、内部の圧力により前記突出部が前記隣設部から離間する方向へ変形される、ことを特徴としている。
【００１２】
請求項６に記載のタンクは、請求項１乃至請求項５の何れか１項に記載のタンクにおいて、前記一対の隣設部材の一方が周壁の開口を構成すると共に、前記一対の隣設部材の他方が前記周壁の内面を構成する、ことを特徴としている。
【発明の効果】
【００１３】
請求項１に記載のタンクでは、一対の隣設部材が互いに隣設されており、一対の隣設部材の隣設部位をシールするためのシール部材を備えている。
【００１４】
ここで、一対の隣設部材の隣設部位において一対の隣設部材の少なくとも一方に設けられた高硬度部が、当該一対の隣設部材の少なくとも一方より硬度が高くされている。このため、シール部材を充分に圧縮させることができ、一対の隣設部材間のシールを確保することができる。
【００１５】
請求項２に記載のタンクでは、高硬度部の反シール部材側において一対の隣設部材の少なくとも一方に設けられた支持部が、当該一対の隣設部材の少なくとも一方より硬度が高くされているため、シール部材を一層充分に圧縮させることができ、一対の隣設部材間のシールを一層確保することができる。
【００１６】
請求項３に記載のタンクでは、高硬度部がシール部材に接触されているため、確実にシール部材を充分に圧縮させることができ、一対の隣設部材間のシールを確実に確保することができる。
【００１７】
請求項４に記載のタンクでは、一対の隣設部材が隣設部位において互いに離間する方向へ相対的に変形された際に、シール部材が一対の隣設部材の隣設部位におけるシール状態を維持するため、一対の隣設部材間のシールを確保することができる。
【００１８】
請求項５に記載のタンクでは、一対の隣設部材の一方において周壁を構成する外周部から突出部が内側へ突出しており、一対の隣設部材の他方に設けられた隣設部が突出部に外周において隣設されている。ここで、内部の圧力により突出部が隣設部から離間する方向へ変形された際に、シール部材が突出部と隣設部との隣設部位におけるシール状態を維持するため、一対の隣設部材間のシールを確保することができる。
【００１９】
請求項６に記載のタンクでは、周壁の開口を構成する隣設部材と周壁の内面を構成する隣設部材との間のシールを確保することができる。
【発明を実施するための最良の形態】
【００２０】
［第１の実施の形態］
図１には、本発明のタンクが適用されて構成された第１の実施の形態に係る高圧タンク１０の主要部が断面図にて示されている。なお、本実施の形態（下記第２の実施の形態及び第３の実施の形態を含む）では、高圧タンク１０の外側を「外側」といい、高圧タンク１０の内側を「内側」という。
【００２１】
本実施の形態に係る高圧タンク１０は、内部にガス（例えば水素やヘリウム等の気体）を充填保管するためのものであり、容器状のタンク本体１２を備えている。タンク本体１２の周壁１４は、外側の外周壁１６と内側の隣設部材としてのライナー１８（樹脂ライナー）とが、後記貫通孔２０の周囲を除き、一体にされて構成されており、外周壁１６はＦＲＰ（繊維強化プラスチック）製にされると共に、ライナー１８はＰＡ（ポリアミド）１２（宇部興産株式会社の「３０３０ＪＩ７」）製にされている。
【００２２】
タンク本体１２の周壁１４には、略円柱状の貫通孔２０が貫通形成されており、貫通孔２０の周囲において外周壁１６とライナー１８とが分離されることで、外周壁１６とライナー１８との間に断面三角形状の円環状にされた隙間が形成されている。ライナー１８には円筒状の隣設部２２が一体に形成されており、隣設部２２は貫通孔２０の内端部分を構成している。隣設部２２内には、高硬度部としての円筒状のバックアップリング２４がインサート成形により設けられており、バックアップリング２４は、金属（例えばステンレス（ＳＵＳ３１６Ｌ））製とされて、ライナー１８より硬度が高くされている。
【００２３】
タンク本体１２の周壁１４外周面には、貫通孔２０の近傍において、板状の緩衝材２６が所定数設けられている。
【００２４】
タンク本体１２は、隣設部材としての金属（例えばステンレス（ＳＵＳ３１６Ｌ））製の略円筒状とされた口金２８を有している。口金２８の外端には、鍔部３０が突出形成されており、鍔部３０は断面矩形状の円環状にされている。口金２８の内外方向中間部分には、外周部３２が突出形成されており、外周部３２は断面三角形状の円環状にされている。さらに、口金２８の内端部分は突出部３４とされており、突出部３４は外周部３２から内側へ突出している。
【００２５】
口金２８は周壁１４の貫通孔２０に嵌入されて、口金２８の鍔部３０から外周部３２までの部分は周壁１４を構成しており、口金２８の鍔部３０と外周部３２との間には周壁１４の外周壁１６が狭持されると共に、口金２８の外周部３２は周壁１４の外周壁１６とライナー１８との間に狭持されている。また、口金２８の突出部３４はライナー１８の隣設部２２に隣設されて接触されている。
【００２６】
口金２８の突出部３４外周面には、断面矩形の円環状とされたリング溝３６が一対全周に亘って形成されており、各リング溝３６には、シール部材としての断面円形の円環状とされたＯリング３８が挿入装着されている。
【００２７】
図２に詳細に示す如く、各Ｏリング３８はゴム製（例えばニトリルゴム）とされて弾性を有しており、各Ｏリング３８が各リング溝３６の底面とライナー１８の隣設部２２内周面との間で弾性変形された状態で狭持されることで、ライナー１８と口金２８との間がシールされている。これにより、高圧タンク１０内のガスがライナー１８と口金２８との間から漏洩することが防止されている。
【００２８】
口金２８内は略円柱状の開口４０にされており、これにより、タンク本体１２の周壁１４に開口４０が設けられている。口金２８には開口４０において略円柱状のバルブ４２（インタンクバルブ）が締結（螺合）されており、バルブ４２によって口金２８の開口４０が閉じられている。バルブ４２には排出孔（図示省略）が形成されており、排出孔は、高圧タンク１０内と高圧タンク１０外とを連通すると共に、開閉可能にされている。排出孔は通常閉鎖されており、排出孔が開放されることで、高圧タンク１０内のガスが排出孔を経て高圧タンク１０外へ排出される構成である。
【００２９】
本実施の形態に係る高圧タンク１０は、図３に示すフローチャートの手順で製作される。
【００３０】
すなわち、ステップ１００において、ライナー１８を２分割で成形するためのライナー成形用型内に、２分割にされたバックアップリング２４を挿入し、ステップ１０２において、ライナー成形用型内に溶融された樹脂を射出することで、２分割されたライナー１８を成形する。また、この２分割にされたライナー１８は一対成形する。
【００３１】
次に、ステップ１０４において、一対の２分割のライナー１８が組み合わされて構成される隣設部２２内に、各リング溝３６にＯリング３８が装着された口金２８の突出部３４を圧入して、口金２８の外周部３２を隣設部２２近傍のライナー１８に当接させ、ステップ１０６において、一対の２分割のライナー１８を互いに溶着することでライナー１８を製作する。
【００３２】
さらに、ステップ１０８において、ライナー１８の外周に外周壁１６を成形し、ステップ１１０において、外周壁１６の外周面に所定数の緩衝材２６を接着し、最後に、ステップ１１２において、口金２８の開口４０にバルブ４２を組み付ける（締結する）。
【００３３】
次に、本実施の形態の作用を説明する。
【００３４】
以上の構成の高圧タンク１０では、ライナー１８の隣設部２２と口金２８の突出部３４とが互いに隣設されており、突出部３４の各リング溝３６には、隣設部２２と突出部３４との隣設部位をシールするためのＯリング３８が装着されている。
【００３５】
ここで、図４に示す如く、仮に隣設部２２にバックアップリング２４が設けられていない場合には、各Ｏリング３８による隣設部２２の変形によって各Ｏリング３８を充分に（シールのために必要な圧縮率に）圧縮させることができない。
【００３６】
一方、高圧タンク１０では、ライナー１８の隣設部２２内に設けられたバックアップリング２４が、ライナー１８より硬度が高くされている。このため、各Ｏリング３８による隣設部２２の変形が抑制されて、各Ｏリング３８を充分に圧縮させることができ（各Ｏリング３８の圧縮率を２０％程度にでき）、ライナー１８と口金２８との間のシールを確保することができる。
【００３７】
また、高圧タンク１０内が高圧にされた際に、バルブ４２及び口金２８が外側へ押し出されることで、応力により口金２８の突出部３４が径方向内側へ収縮変形されても、各Ｏリング３８は突出部３４と隣設部２２とのシール状態を維持できる。このため、依然として、ライナー１８と口金２８との間のシールを確保することができる。
【００３８】
［第２の実施の形態］
図５には、本発明のタンクが適用されて構成された第２の実施の形態に係る高圧タンク５０のシール状況が断面図にて示されている。
【００３９】
本実施の形態に係る高圧タンク５０は、上記第１の実施の形態に係る高圧タンク１０とほぼ同様の構成であるが、以下の点が異なる。
【００４０】
すなわち、ライナー１８の隣設部２２には、バックアップリング２４の内周側において、高硬度部としての樹脂リング５２がインサート成形により設けられており、樹脂リング５２は、隣設部２２の内周面を構成して、各Ｏリング３８に接触されている。樹脂リング５２は、硬度（ＪＩＳ規格の樹脂硬度）が８０以上のＰＡ１２（宇部興産株式会社の「３０２４ＧＣ６」）製にされて、ライナー１８より硬度が高くされている。また、バックアップリング２４は、樹脂リング５２の反Ｏリング３８側に配置されて、樹脂リング５２を支持する支持部として機能している。
【００４１】
本実施の形態に係る高圧タンク５０は、図６に示すフローチャートの手順で製作される。
【００４２】
すなわち、ステップ１００Ａにおいて、ライナー１８を２分割で成形するためのライナー成形用型内に、２分割にされた樹脂リング５２を挿入する。次に、上記第１の実施の形態と同様に、ステップ１００において、ライナー成形用型内に、２分割にされたバックアップリング２４を挿入し、ステップ１０２において、ライナー成形用型内に溶融された樹脂を射出することで、２分割されたライナー１８を成形する。この際、ライナー１８と樹脂リング５２とは共にＰＡ１２製とされているため、溶融された樹脂の熱と射出圧とにより、ライナー１８と樹脂リング５２とが互いに融着される。また、この２分割にされたライナー１８は一対成形する。なお、ステップ１００をステップ１００Ａの前に行ってもよい。
【００４３】
さらに、上記第１の実施の形態と同様に、ステップ１０４、１０６、１０８、１１０、１１２を行って、高圧タンク５０を製作する。
【００４４】
ここで、図７に示す如く、仮に樹脂リング５２の硬度が８０未満である場合には、樹脂リング５２の変形により各Ｏリング３８を充分に（シールのために必要な圧縮率に）圧縮させることができない。
【００４５】
一方、高圧タンク５０では、ライナー１８の隣設部２２に設けられた樹脂リング５２の硬度が、８０以上にされて、ライナー１８の硬度より高くされている。さらに、樹脂リング５２が各Ｏリング３８に接触されている。しかも、樹脂リング５２の反Ｏリング３８側においてライナー１８に設けられたバックアップリング２４が、ライナー１８より硬度が高くされている。このため、確実に各Ｏリング３８を充分に圧縮させることができ（各Ｏリング３８の圧縮率を２０％程度にでき）、ライナー１８と口金２８との間のシールを確実に確保することができる。
【００４６】
また、高圧タンク５０内が高圧にされた際に、バルブ４２及び口金２８が外側へ押し出されることで、応力により口金２８の突出部３４が径方向内側へ収縮変形されても、各Ｏリング３８は突出部３４と隣設部２２とのシール状態を維持できる。このため、依然として、ライナー１８と口金２８との間のシールを確保することができる。
【００４７】
［第３の実施の形態］
図８には、本発明のタンクが適用されて構成された第３の実施の形態に係る高圧タンク６０のシール状況が断面図にて示されている。
【００４８】
本実施の形態に係る高圧タンク６０は、上記第１の実施の形態に係る高圧タンク１０とほぼ同様の構成であるが、以下の点が異なる。
【００４９】
すなわち、ライナー１８の隣設部２２に設けられたバックアップリング２４が、隣設部２２の内周面を構成しており、バックアップリング２４は各Ｏリング３８に接触されている。
【００５０】
本実施の形態に係る高圧タンク６０は、図９に示すフローチャートの手順で製作される。
【００５１】
すなわち、ステップ１００Ｂにおいて、バックアップリング２４を、厚さが５０μｍとされたライナー１８と同様の被膜樹脂（ＰＡ１２（宇部興産株式会社の「３０３０ＪＩ７」））で被膜する（樹脂コート処理する）。次に、上記第１の実施の形態と同様に、ステップ１００において、ライナー１８を２分割で成形するためのライナー成形用型内に、２分割にされたバックアップリング２４を挿入し、ステップ１０２において、ライナー成形用型内に溶融された樹脂を射出することで、２分割されたライナー１８を成形する。この際、ライナー１８とバックアップリング２４の被膜樹脂とは共にＰＡ１２製とされているため、溶融された樹脂の熱と射出圧とにより、ライナー１８とバックアップリング２４とが互いに融着される。また、この２分割にされたライナー１８は一対成形する。
【００５２】
さらに、上記第１の実施の形態と同様に、ステップ１０４、１０６、１０８、１１０、１１２を行って、高圧タンク６０を製作する。
【００５３】
以上の構成の高圧タンク６０では、ライナー１８の隣設部２２に設けられたバックアップリング２４が、ライナー１８より硬度が高くされている。さらに、バックアップリング２４が各Ｏリング３８に接触されている。このため、確実に各Ｏリング３８を充分に圧縮させることができ（各Ｏリング３８の圧縮率を３０％程度にでき）、ライナー１８と口金２８との間のシールを確実に確保することができる。
【００５４】
また、高圧タンク６０内が高圧にされた際に、バルブ４２及び口金２８が外側へ押し出されることで、応力により口金２８の突出部３４が径方向内側へ収縮変形されても、各Ｏリング３８は突出部３４と隣設部２２とのシール状態を維持できる。このため、依然として、ライナー１８と口金２８との間のシールを確保することができる。
【図面の簡単な説明】
【００５５】
【図１】本発明の第１の実施の形態に係る高圧タンクの主要部を示す断面図である。
【図２】本発明の第１の実施の形態に係る高圧タンクにおけるシール状態を示す断面図である。
【図３】本発明の第１の実施の形態に係る高圧タンクの製作手順を示すフローチャートである。
【図４】本発明の第１の実施の形態に係る高圧タンクにおける各Ｏリングの圧縮率を、ライナーにバックアップリングが設けられていない場合と比較して示すグラフである。
【図５】本発明の第２の実施の形態に係る高圧タンクにおけるシール状態を示す断面図である。
【図６】本発明の第２の実施の形態に係る高圧タンクの製作手順を示すフローチャートである。
【図７】本発明の第２の実施の形態に係る高圧タンクにおける各Ｏリングの圧縮率を、樹脂リングの硬度が８０未満の場合と比較して示すグラフである。
【図８】本発明の第３の実施の形態に係る高圧タンクにおけるシール状態を示す断面図である。
【図９】本発明の第３の実施の形態に係る高圧タンクの製作手順を示すフローチャートである。
【符号の説明】
【００５６】
１０    高圧タンク（タンク）
１４    周壁
１８    ライナー（隣設部材）
２２    隣設部
２４    バックアップリング（高硬度部、支持部）
２８    口金（隣設部材）
３２    外周部
３４    突出部
３８    Ｏリング（シール部材）
４０    開口
５０    高圧タンク（タンク）
５２    樹脂リング（高硬度部）
６０    高圧タンク（タンク）
【図１】
2005048919.tif 000003
【図２】
2005048919.tif 000004
【図３】
2005048919.tif 000005
【図４】
2005048919.tif 000006
【図５】
2005048919.tif 000007
【図６】
2005048919.tif 000008
【図７】
2005048919.tif 000009
【図８】
2005048919.tif 000010
【図９】
2005048919.tif 000011